(57)【要約】【課題】施設に布設されたバスダクト幹線で、容易に、安価に通信を行うことが可能なバスダクトにおける通信システムを提供する。【解決手段】バスダクト幹線に着脱可能な第１分岐装置と第２分岐装置にそれぞれ外部機器と通信可能な通信手段を設け、外部機器相互をバスダクト幹線の母線導体を介して通信可能なバスダクトにおける通信システム。【選択図】図３
2018191264.tif 000002
【特許請求の範囲】
【請求項１】
施設に布設され、母線導体を内包したバスダクト幹線と、
前記バスダクト幹線に着脱自在であり、前記母線導体に接続される分岐装置と、
前記母線導体に接続され、外部機器と通信するための通信Ｉ／Ｆを備える通信手段を有するバスダクトにおける通信システムであって、
前記分岐装置は、少なくとも第１分岐装置と第２分岐装置の複数有し、
それぞれ、箱体と、
前記母線導体と接続される分岐導体を有し、
前記通信手段は、前記箱体に取り付けられ、前記分岐導体に接続されており、
前記外部機器は、前記第１分岐装置に取り付けられた通信手段と通信可能な第１外部機器と、
前記第２分岐装置に取り付けられた通信手段と通信可能な第２外部機器とで構成され、
前記第１外部機器は、前記第１分岐装置に取り付けられた通信手段、前記母線導体、前記第２分岐装置に取り付けられた通信手段を介して前記第２外部機器と通信することを特徴とするバスダクトにおける通信システム。
【請求項２】
前記第１分岐装置及び前記第２分岐装置の少なくとも一方には、前記分岐導体と電気的に接続される遮断器が設けられていることを特徴とする請求項１記載のバスダクトにおける通信システム。
【請求項３】
施設に布設され、母線導体を内包したバスダクト幹線と、
前記バスダクト幹線に着脱自在であり、前記母線導体と電気的に接続することにより負荷設備に電気を供給可能な分岐装置と、
前記母線導体と電気的に接続され、少なくとも第１外部機器と通信するための通信Ｉ／Ｆを備える通信手段を有するバスダクトにおける通信システムであって、
前記分岐装置は、箱体と、
前記母線導体と接続される分岐導体と、
前記分岐導体と電気的に接続された遮断器と、
前記遮断器と電気的に接続され、前記負荷設備に対して電気を供給するための引出線を有し、
前記通信手段は、前記箱体に取り付けられ、前記遮断器と前記母線導体の間に介材する分岐導体に接続され、
前記第１外部機器は、前記通信手段と前記母線導体を介して第２外部機器と通信することを特徴とするバスダクトにおける通信システム。
【請求項４】
前記遮断器は、１つの前記箱体に少なくとも第１遮断器と第２遮断器の複数取り付けられ、
前記通信手段は、前記第１遮断器と前記第２遮断器の間に取り付けられていることを特徴とする請求項２又は３記載のバスダクトにおける通信システム。
【請求項５】
前記通信手段は、前記箱体の内部に取り付けられていることを特徴とする請求項１から４の何れか一項に記載のバスダクトにおける通信システム。
【発明の詳細な説明】
【発明の詳細な説明】
【技術分野】
【０００１】  本発明は、施設に布設されたバスダクト幹線を利用したバスダクトにおける通信システムに関する。
【背景技術】
【０００２】  従来の通信システムとして、施設にバスダクト幹線が布設され、このバスダクト幹線を利用して負荷設備に対して配電を行うと共に、負荷設備の情報等を通信線又は無線により中央装置で収集し、集中管理する方法が一般的であった。
【発明の概要】
【発明が解決しようとする課題】
【０００３】  しかし、上記通信システムのうち通信線で通信を行う場合、新たに負荷設備を増やす、或いは情報収集すべき対象物を増やす必要が発生した場合、別途中央装置から負荷設備まで新たに通信線を布設する等、施工性が悪いという不具合が生じていた。【０００４】  また、上記通信システムのうち無線で通信を行う場合、通信速度が遅い、別途高額な通信網を構築する必要がある、或いはノイズによる悪影響がある等、様々な不具合が生じていた。【０００５】  本発明は上記課題に鑑みなされたものであり、施設に布設されたバスダクト幹線で、容易に通信を行うことが可能なバスダクトにおける通信システムを提供することを目的とする。
【課題を解決するための手段】
【０００６】  上記目的を解決するための手段として、本発明のバスダクトにおける通信システムは、施設に布設され、母線導体を内包したバスダクト幹線と、前記バスダクト幹線に着脱自在であり、前記母線導体に接続される分岐装置と、前記母線導体に接続され、外部機器と通信するための通信Ｉ／Ｆを備える通信手段を有するバスダクトにおける通信システムであって、前記分岐装置は、少なくとも第１分岐装置と第２分岐装置の複数有し、それぞれ、箱体と、前記母線導体と接続される分岐導体を有し、前記通信手段は、前記箱体に取り付けられ、前記分岐導体に接続されており、前記外部機器は、前記第１分岐装置に取り付けられた通信手段と通信可能な第１外部機器と、前記第２分岐装置に取り付けられた通信手段と通信可能な第２外部機器とで構成され、前記第１外部機器は、前記第１分岐装置に取り付けられた通信手段、前記母線導体、前記第２分岐装置に取り付けられた通信手段を介して前記第２外部機器と通信することを特徴とする。【０００７】  本構成により、布設されたバスダクト幹線を利用して通信が可能であると共に、着脱自在な分岐装置を利用できるため、負荷設備を増やす場合や減らす場合も分岐装置を取り付け、或いは取り外すことにより行うことができ、手間も少なく、低コストで容易に行うことができる。つまり、例えば、既設のバスダクト幹線であっても、分岐装置を取り付けるだけで、通信網を構築できることとなる。【０００８】  さらに、本発明のバスダクトにおける通信システムは、前記第１分岐装置及び前記第２分岐装置の少なくとも一方には、前記分岐導体と電気的に接続される遮断器が設けられていることを特徴とする。【０００９】  本構成により、布設されたバスダクト幹線から負荷設備への給電が可能となり、且つ遮断器よりも母線導体側に通信手段が接続されていることから、遮断器がオフになったとしても確実に通信することが可能となる。【００１０】  また、本発明のバスダクトにおける通信システムは、施設に布設され、母線導体を内包したバスダクト幹線と、前記バスダクト幹線に着脱自在であり、前記母線導体と電気的に接続することにより負荷設備に電気を供給可能な分岐装置と、前記母線導体と電気的に接続され、少なくとも第１外部機器と通信するための通信Ｉ／Ｆを備える通信手段を有するバスダクトにおける通信システムであって、前記分岐装置は、箱体と、前記母線導体と接続される分岐導体と、前記分岐導体と電気的に接続された遮断器と、前記遮断器と電気的に接続され、前記負荷設備に対して電気を供給するための引出線を有し、前記通信手段は、前記箱体に取り付けられ、前記遮断器と前記母線導体の間に介材する分岐導体に接続され、前記第１外部機器は、前記通信手段と前記母線導体を介して第２外部機器と通信することを特徴とする。【００１１】  本構成により、着脱自在な分岐装置を利用できるため、負荷設備を増やす場合や減らす場合も分岐装置を取り付け、或いは取り外すことにより行うことができ、手間も少なく、低コストで容易に行うことができ、バスダクト幹線から負荷設備への給電が可能で、且つ遮断器よりも母線導体側に通信手段が接続されていることから、遮断器がオフになったとしても確実に通信することが可能となる。【００１２】  さらに、本発明のバスダクトにおける通信システムは、前記遮断器は、１つの前記箱体に少なくとも第１遮断器と第２遮断器の複数取り付けられ、前記通信手段は、前記第１遮断器と前記第２遮断器の間に取り付けられていることを特徴とする。【００１３】  本構成により、例えば、通信手段で遮断器の情報を取得して通信する場合であっても、通信手段と、隣り合う２台の遮断器との配線処理及び分岐導体との配線処理も容易に行うことができる。【００１４】  さらに、本発明のバスダクトにおける通信システムは、前記通信手段は、前記箱体の内部に取り付けられていることを特徴とする。【００１５】  本構成により、美観に優れた分岐装置を提供することができると共に、通信手段へ粉塵の付着や外力が加わることを未然に防止することができる。
【発明の効果】
【００１６】  本発明のバスダクトにおける通信システムは、施設に布設されたバスダクト幹線で、容易に通信を行うことが可能となる。
【図面の簡単な説明】
【００１７】
【図１】（ａ）は本発明の第１実施例のバスダクトにおける通信システムにおける施設内に構築されたバスダクト幹線を示す図であり、（ｂ）はバスダクト及び分岐装置の拡大説明図である。
【図２】（ａ）は第１例の分岐装置を示す図であり、（ｂ）は第２例の分岐装置を示す図である。
【図３】は本発明の第１実施例のバスダクトにおける通信システムのブロック図を示す図である。
【図４】は本発明の第２実施例のバスダクトにおける通信システムのブロック図を示す図である。
【図５】は本発明の第２実施例のバスダクトにおける通信システムの第２外部機器の制御フローチャート図を示す。
【図６】は第２外部機器の他の制御フローチャート図を示す。
【図７】は他の実施例のバスダクトにおける通信システムのブロック図を示す図である。
【発明を実施するための形態】
【００１８】  以下、本発明のバスダクトにおける通信システムについて、図面に沿って説明するが、本発明は以下の実施例に限定されるものではない。
【００１９】  ＜第１実施例＞
図１〜図３は本発明の第１実施例のバスダクトにおける通信システムを示し、図１は施設内に布設されているバスダクト幹線を示す図であり、図２は分岐装置を示す図であり、図３はバスダクトにおける通信システムを示すブロック図である。
【００２０】  図１（ａ）に示すように第１実施例のバスダクト幹線１００は、施設してデータセンターに布設され、サーバーラック１５０が複数並設されたラック列に対して給電を行うことが可能な構成となっている。
【００２１】  図１（ｂ）に示すようにバスダクト幹線１００は、複数の母線導体１１１を一定間隔離した状態（異相間を空気で絶縁した状態）で並設させ、これらの母線導体１１１をハウジング１１２で被覆することによりバスダクト１１０が形成され、このバスダクト１１０を接続部１２０で接続することによりバスダクト幹線１００が構築されている。
【００２２】  また、バスダクト１１０のハウジング１１２には、サーバーへ給電を行うための分岐装置１３０を挿入するためのプラグイン開口部１１３が穿設されており、このプラグイン開口部１３３に分岐装置１３０を差し込むことにより、分岐装置１３０より２次側に存在するサーバーへ給電を可能としている。尚、プラグイン開口部１１３は普段シャッターで閉められた状態となっており、分岐装置１３０を差し込む際にシャッターが開口する構造とすると好適であり、通電中の分岐装置１３０の着脱を安全に行うことができる。
【００２３】  分岐装置１３０は、本実施例では図２に示すように２種類あり、図１（ｂ）及び図２（ａ）に示すように、箱体１３１のバスダクト１１０側の面の略中央部分にバスダクト１１０のハウジング１１２を挟持することにより固定状態及び解除状態となる一対の固定金具１３３が突設されており、この一対の固定金具１３３の間にバスダクト１１０の母線導体１１１と接続される分岐導体１３２がこの面を貫通する状態で配置されている。また、バスダクト１１０の反対側の面には、箱体１３１内を目視可能な透明な窓部１４３が穿設され、図示下側の面には、サーバーへ給電するための引出線１３７を挿通するための孔１３８が中央とその両側に３つ穿設されている。
【００２４】  さらに、箱体１３１内は、バスダクト１１０側の面を貫通した分岐導体１３２の端部が突出し、この端部を断面コ字形で側面の図示上下部分に切欠き１３９を有する端子カバー１３５で被覆している。この分岐導体１３２の端部の両側（図示左右側）には遮断器１３４が取り付けられており、図示省略するが、分岐導体１３２と遮断器１３４がケーブルで接続され、遮断器１３４とサーバーが引出線１３７で接続されている。この際の分岐導体１３２と遮断器１３４を接続するケーブルが端子カバー１３５の側面の上側の切欠き１３９を介して挿通され、遮断器１３４とサーバーを接続する引出線１３７を１本に纏めて引き出す場合は、端子カバー１３５の側面の下側の切欠き１３９を介して挿通される。また、２台の遮断器１３４から引出線１３７をそれぞれ引き出す場合は、両側にある孔１３８を介して挿通される。
【００２５】  さらに、端子カバー１３５に通信インターフェース（通信Ｉ／Ｆ）１４１を内蔵（図示省略）している通信手段１４０が取り付けられており、図示省略するがこの通信手段１４０と接続導体１３２が接続されている。尚、この通信手段１４０は通信Ｉ／Ｆ１４１を介して、外部機器と無線或いは有線で通信可能な構造となっている。尚、通信手段１４０と外部機器との通信を有線で行う場合、箱体１３１の孔１３８を介して接続すると好適であり、また、母線導体１１１の厚さ方向から見て（図２（ａ）の上側から下側を見て）２台の遮断器１３４と通信手段１４０が分岐導体１３２を囲んでデルタ配置となっており、分岐導体１３２への通線が容易となる構造となっている。
【００２６】  また、分岐装置１３０のもう一種類は、図１（ｂ）及び図２（ｂ）に示すように、箱体１３１のバスダト１００側の面に固定金具１３３が突設し、この面を貫通する状態で分岐導体１３２が配置されている。また、箱体１３１内をバスダクト１１０側とバスダクト１１０と反対側とを２分し、ケーブルを挿通可能な切欠き（図示省略）を有する仕切板１４２が設けられ、この仕切板１４２に遮断器１３４が１台取り付けられている。
【００２７】  さらに、箱体１３１の図示下側の面には、サーバーへ給電するための引出線１３７を挿通するための孔１３８が１つ穿設されている。
【００２８】  さらに、箱体１３１の図示奥側の面には、通信手段１４０が取り付けられており、通信Ｉ／Ｆ１４１は前記孔１３８が穿設された面に取り付けられている。この通信手段１４０は接続導体１３２と接続されている。尚、通信手段１４０は薄い基盤で構成されており、別体の通信Ｉ／Ｆ１４１を介して外部機器と無線又は有線で接続されている。また、箱体１３１のバスダクト１００と反対側の面には取っ手１３６が設けられ、分岐装置１３０の取り付け或いは取外し作業を容易化させている。通信手段１４０への給電はバスダクト幹線１００を利用している。
【００２９】  つまり、図２（ａ）の分岐装置１３０は遮断器１３４の２台入り用であり、且つ高さ方向への寸法を抑えた仕様となっており、図２（ｂ）の分岐装置１３０は遮断器１３４の１台入り用であり、且つ幅方向への寸法を抑えた仕様となっている。
【００３０】  以上からなる分岐装置１３０をバスダクト幹線１００に複数存在するプラグイン開口部１１３に差し込むことによりバスダクト幹線１００の母線導体１１１と分岐装置１３０の分岐導体１３２が電気的に接続されることとなり、母線導体１１１、分岐導体１３２、遮断器１３４を介して引出線１３７によりサーバーと電気的に接続され、バスダクト１１０からサーバーへの給電されることとなる。
【００３１】  また、バスダクト幹線１００に取り付けられた分岐装置１３０が２箇所以上存在する場合、図３に示すように、ある外部機器（第１外部機器）はある分岐装置（第１分岐装置）１３０の通信手段１４０の通信Ｉ／Ｆ１４１を介して通信可能であり、別の外部機器（第２外部機器）も別の分岐装置（第２分岐装置）１３０の通信手段１４０の通信Ｉ／Ｆ１４１を介して通信可能であり、分岐装置１３０の通信手段１４０は分岐導体１３２と接続され、且つ前述の通り分岐導体１３２と母線導体１１１は接続されていることから、第１外部機器は第１分岐装置１３０の通信Ｉ／Ｆ１４１、第１分岐装置１３０の通信手段１４０、第１分岐装置１３０の分岐導体１３２、母線導体１１１、第２分岐装置１３０の分岐導体１３２、第２分岐装置の通信手段１４０、第２分岐装置の１４０の通信Ｉ／Ｆ１４１を介して第２外部機器と電力線通信が可能な構造となっている。
【００３２】  以上の構成により、例えば、第１外部機器が可視光線通信用の通信器であり、第２外部機器がサーバーの状態を監視する監視装置である場合、サーバーの異常を感知し、その情報を可視光線の通信器へ送信し、可視光線通信機の近くに携帯端末を持ったメンテンス作業者が近付くことにより異常の状態を携帯端末に映し出すことができ、異常を修復することが可能となると共に、携帯端末だけを持っていけば足りるため、迅速な対応をすることが出来るようになる。
【００３３】  また、通信手段１４０が遮断器１３４からのオンオフ情報或いは電流・電圧の少なくとも何れか一方の情報等も通信可能に構成すると、より迅速な対応或いは管理が可能となる。
【００３４】  また、遮断器１３４よりも一次側の分岐導体１３２に通信手段１４０が接続されているため、仮に遮断器１３４がオフになったとしても確実に通信することが可能となる。
【００３５】  また、遮断器１３４を２台設けていることから、例えば１つのラック１５０に２種類のサーバー（別々に管理が必要なサーバー）が設置されている場合、それぞれの遮断器１３４を介して電気を供給すればよく、別々の電気の供給及び管理が可能となる。また、２つのラック１５０に対して１つの分岐装置１３０で対応することも可能となり、コストダウンにつながる。尚、前者の場合、中央の孔１３８から引出線１３７を挿通すれば好適であり、後者の場合は、両側の孔１３８からそれぞれラック１５０毎の引出線１３８を挿通すれば好適である。
【００３６】  また、本実施例により、既設のバスダクト幹線が構築されている施設において、分岐装置１３０を取り付けるだけで別途通信網を構築せずとも通信可能となるため、初期投資が不要となる。
【００３７】  また、バスダクト幹線１００の分岐装置１３０は通電状態で着脱可能であることから、サーバー等の電源供給を止めることなく、通信網を構築することが可能となるばかりでなく、バスダクト１１０の増設等も容易に行うことができる。
【００３８】  ＜第２実施例＞
次に第２実施例のバスダクトにおける通信システムについて第１実施例と異なる部分の詳細を説明する。
【００３９】  図４及び図５は第２実施例のバスダクトにおける通信システムを示し、図４はブロック図であり、図５は第２外部機器の制御フローチャート図である。
【００４０】  図４に示すように、バスダクト幹線１００、母線導体１１１、分岐装置１３０に関するものは第１実施例と同様であり、分岐装置１３０が少なくとも１箇所存在している。
【００４１】  第１外部機器は、ラック１５０に設けられたドア１５１を施錠及び解錠するための錠部１５２と、メンテナンス作業者が持っている携帯端末（第３外部機器）等と通信可能な通信部１５３を有している。
【００４２】  第２外部機器は、バスダクト幹線１００の母線導体１１１と接続され、サーバーの状態や、ラック１５０の状態等を管理する中央装置としての役割を果たしている。
【００４３】  以上の構成により、メンテナンス作業者が持っている携帯端末等により、通信部１５３にメンテナンス作業者ＩＤ情報を送信し、通信部１５３は、そのＩＤ情報を通信手段１４０、分岐導体１３２、母線導体１１１を介して第２外部機器へ送信する。第２外部機器は、図５に示すように、そのＩＤ情報が正しいものかどうかを認証し、正しくない場合はエラー信号を生成する。また、ＩＤ情報が正しい場合は、錠部１５２の状態を確認し、錠部１５２が閉錠の場合は解錠信号を生成し、開錠の場合は施錠信号を生成する。以上から生成された信号を送信する処理を行う。よって、メンテナンス作業者がわざわざ鍵を持たずにラック１５０へ出向き、メンテナンス作業を行うことが可能となる。
【００４４】  尚、本実施例では、第３外部機器からのＩＤ情報照合のための送信処理を行うことにより、錠部１５２の解錠及び施錠の処理を行うように構成したが、例えば、図６に示すように第２外部機器は、単に第３外部機器からの解錠信号と施錠信号により錠部１５２の解錠及び施錠の処理を行っても良く、また、開錠状態が所定時間経過後（タイマーによる計測）まで維持されている場合は、開錠状態をこのまま維持して良いかどうかの確認信号を第３外部機器へ送信し、第３外部機器から開錠状態を維持する旨の信号（維持信号）を受信した場合は開錠状態を維持し、再度所定時間の計測を開始（タイマーが始動）し、第３外部機器から何も信号を受信しなければ強制的に施錠信号を生成すると共に施錠信号を送信する処理を行う等の処理を行っても良い。本処理によって、施錠忘れを防止することが可能となる。
【００４５】  ＜実施例の変形例等＞
以上、本発明の実施例について説明したが、本発明は要旨の範囲内において、拡張及び変形が可能であり、各発明や実施例の構成の他に、これらの部分的な構成を本明細書開示の他の構成に変更して特定したもの、或いはこれらの構成に本明細書開示の他の構成を付加して特定したもの、或いはこれらの部分的な構成を部分的な作用効果が得られる限度で削除して特定した上位概念化したものも含まれ、例えば下記のような変形例も包含される。
【００４６】  上記実施例のバスダクト１１０、分岐装置１３０等の構成は上記実施例に限定されるものとはない。例えば、バスダクト１１０の母線導体１１１は必ずしも４線式である必要はなく３線式以下或いは５線式以上であっても良い。また、分岐装置１３０は遮断器１３４を設ける必要がなく、無くても良く、また、箱体１３１内に３台以上設けられても良い。更に、通信手段１４０は美観向上のため分岐装置１３０の箱体１３１内に設けているが、本発明は必ずしも箱体１３１内に設ける必要がなく、分岐装置１３０の箱体１３１の外面に取り付けられていても良い。
【００４７】  また、バスダクト幹線１００は必ずしも通電状態である必要がなく、例えば施工現場でバスダクト幹線１００形成しているときに、第１外部機器と第２外部機器とそれぞれ通信可能な第１分岐装置１３０と第２分岐装置をバスダクト幹線１００に接続し、少なくともどちらか一方の外部機器から送電可能であれば第１外部機器と第２外部機器は通信可能となり、例えば施工中の現場で外部機器として電話やベル等を設置して、通話或いは時間の報知等を行う等適宜である。
【００４８】  また、通信手段１４０は必ずしも通信Ｉ／Ｆ１４１を１口である必要がなく、２口以上であっても良く、例えば第２実施例で図７に示すように、第４外部機器と通信可能な構成とても良い。この場合、第４外部機器がラック１５０内の情報（ラック内の温度、湿度、サーバーのエラー情報等）を検出する機器であれば、第４外部機器からの異常を知らせる信号を通信手段１４０、分岐導体１３２、母線導体１１１を介して第２外部機器が受信した場合、メンテナンス作業者に異常があったことを無線で送信し、メンテナンス作業者がラック１５０まで第３外部機器を持ってやってくる。その後第２実施例同様の作業により解錠を行い、且つ第２外部機器から通信部１５３を介して異常の状態及びメンテンス作業手順等を第３外部機器へ送信し、その手順にそってメンテナンス作業者がメンテナンスを行うことが可能となる。
【００４９】  また、外部機器は、上記実施例に限定されず、カメラ、照明、表示部、Ｗｉｆｉ、可視光線等適宜であり、カメラの場合は監視用として使用でき、照明の場合は例えば異常があった場所を照らしてメンテンス作業者が直ぐに異常な場所へ行ける目印、及びメンテンス作業時の照明として使用することができ、表示部の場合は例えば異常の状態やメンテンス手順、エラー等を表示することができ、Ｗｉｆｉの場合は通信のデッドゾーンを減らすことができ、可視光線の場合はメンテナンス作業者の携帯端末に表示部同様の表示をすることができる等、様々な管理が可能となる。また、これらの外部機器は必ずしも分岐装置１３０と別体である必要はなく、一体に形成すれば、外部装置の取り付け作業も分岐装置１３０を取り付けるだけで済むため、施工性が増す。さらに、外部機器への給電もバスダクト幹線１００を利用すれば別途給電設備が不要となる。
【００５０】  また、本発明の施設は必ずしもデータセンターである必要はなく、ビル・マンション・工場等適宜であり、施設も完成している施設である必要がなく、施工中の施設も本発明に含まれる。
【産業上の利用可能性】
【００５１】  本発明のバスダクトにおける通信システムは、施設に布設されたバスダクト幹線を利用した通信システムに利用することができる。
【符号の説明】
【００５２】１００・・・バスダクト幹線
１１０・・・バスダクト
１１１・・・母線導体
１１２・・・ハウジング
１２０・・・接続部
１３０・・・分岐装置
１３１・・・箱体
１３２・・・分岐導体
１３３・・・固定金具
１３４・・・遮断器
１３５・・・端子カバー
１３６・・・取っ手
１３７・・・引出線
１３８・・・孔
１３９・・・切欠き
１４０・・・通信手段
１４１・・・通信Ｉ／Ｆ
１４２・・・仕切板
１４３・・・窓部
１５０・・・ラック
１５１・・・ドア
１５２・・・錠部
【図１】
2018191264.tif 000003
【図２】
2018191264.tif 000004
【図３】
2018191264.tif 000005
【図４】
2018191264.tif 000006
【図５】
2018191264.tif 000007
【図６】
2018191264.tif 000008
【図７】
2018191264.tif 000009